(57)【要約】【解決手段】  一実施形態において、集束イオンビーム（ＦＩＢ）で基板を切断することにより、前記基板から少なくとも部分的に試料を切断する工程と、把持要素を作動させることにより前記基板試料を捕持する工程と、前記捕持済み試料を前記基板から分離させる工程とを含む方法。前記捕持済み試料は、前記基板から分離して検査用に電子顕微鏡へ移送することもできる。【選択図】      図１
2007506981.tif 000002
【特許請求の範囲】
【請求項１】
集束イオンビーム（ｆｏｃｕｓｅｄ  ｉｏｎ  ｂｅａｍ、略称ＦＩＢ）で基板を切断することにより、前記基板から少なくとも部分的に試料を切断する工程と、
把持要素を作動させることによりを捕持する工程と、
前記捕持済み試料を前記基板から分離させる工程と
を有する方法。
【請求項２】
請求項１記載の方法において、前記試料を切断する工程と、前記基板試料を捕持する工程と、前記試料を前記基板から分離させる工程とのうち少なくとも一部は、自動化により実行される。
【請求項３】
請求項１記載の方法であって、この方法は、さらに、
自動化により前記把持要素を前記基板試料に近接させて位置決めする工程を有するものである。
【請求項４】
請求項1記載の方法であって、この方法は、さらに、
前記捕持済み試料を検査用に電子顕微鏡へ移送する、自動化により実行される工程と、
前記電子顕微鏡で前記試料を検査する工程と
を有するものである。
【請求項５】
請求項１記載の方法において、少なくとも部分的に前記試料を前記基板から分離させる工程は、前記試料を前記基板から一部だけ分離させる工程を含み、前記方法は、前記把持要素による前記試料の捕持後に前記試料を前記基板から完全に切断する工程をさらに含むもんである。
【請求項６】
請求項５記載の方法において、前記試料を前記基板から完全に切断する工程は、前記試料と前記基板との間の連結部を切断する工程を含むものである。
【請求項７】
請求項６記載の方法において、前記試料と前記基板との間の連結部を切断する工程は、ＦＩＢによる切断工程を含むものである。
【請求項８】
請求項５記載の方法において、前記捕持済み試料を前記基板から完全に切断する工程は、前記試料と前記基板との間の連結が損なわれるまで、前記捕持済み試料を前記基板に対し再位置決めする工程を含むものである。
【請求項９】
請求項１記載の方法において、前記把持要素を作動させる工程は、前記把持要素に供給する電力を調整する工程を含むものである。
【請求項１０】
請求項１記載の方法において、前記把持要素を作動させる工程は、電力供給状態および電力非供給状態の切り替えを行う工程を含むものである。
【請求項１１】
請求項１記載の方法において、前記把持要素を作動させる工程は、前記把持要素に供給する電力を増加させる工程を含むものである。
【請求項１２】
請求項１記載の方法において、前記把持要素を作動させる工程は、前記把持要素への電力供給を実質的に停止する工程を含むものである。
【請求項１３】
請求項１記載の方法において、前記把持要素は、前記把持要素を機械的に開閉する作動手段を具備するものである。
【請求項１４】
請求項１３記載の方法において、前記作動手段は電熱的作動手段を具備するものである。
【請求項１５】
請求項１３記載の方法において、前記作動手段は静電気的作動手段を具備するものである。
【請求項１６】
請求項１３記載の方法において、前記作動手段は圧電的作動手段を具備するものである。
【請求項１７】
請求項１記載の方法において、前記把持要素は熱的に作動するエンドエフェクタを具備し、前記把持要素を作動させる工程は前記把持要素の少なくとも一部を加熱する工程および冷却する工程の少なくとも一方を含むものである。
【請求項１８】
請求項１記載の方法であって、前記試料が前記把持要素に捕持された状態にあるうちに前記試料を検査する工程をさらに有する方法ものである。
【請求項１９】
請求項１記載の方法であって、前記把持要素から前記試料をリリースした後で前記試料を検査する工程をさらに有する方法ものである。
【請求項２０】
請求項１９記載の方法であって、前記試料の検査前に検査グリッド上で前記試料を位置決めするため前記把持要素を操作する工程をさらに有する方法ものである。
【請求項２１】
請求項１９記載の方法であって、前記把持要素から前記試料をリリースする前に検査グリッドへ前記試料を連結する工程をさらに有する方法ものである。
【請求項２２】
請求項１記載の方法において、前記把持要素はＭＥＭＳ素子である。
【請求項２３】
請求項２２記載の装置において、前記ＭＥＭＳ素子はニッケルを含有するものである。
【請求項２４】
請求項２２記載の装置において、前記ＭＥＭＳ素子はシリコンを含有するものである。
【請求項２５】
請求項１記載の方法において、前記把持要素を作動させる工程は、前記基板試料に抗して前記把持要素を押圧する工程を含むものである。
【請求項２６】
請求項１記載の方法において、前記把持要素は、前記基板試料と整合するよう構成された可鍛層を具備するものである。
【請求項２７】
請求項２６記載の装置において、前記可鍛層は金を含有するものである。
【請求項２８】
請求項1記載の方法において、
前記試料を切断する工程は、複数の試料を各々少なくとも部分的に基板から切断する工程を含み、
前記基板試料を捕持する工程は、前記複数の試料を各々捕持する工程を含み、
前記試料を前記基板から分離させる工程は、前記複数の試料を各々分離させる工程を含むものである。
【請求項２９】
請求項１記載の方法において、前記基板試料を捕持する工程と、前記試料を前記基板から分離させる工程との少なくとも一方は、ＴＥＭで実行されるものである。
【請求項３０】
請求項１記載の方法において、前記基板試料を捕持する工程と、前記試料を前記基板から分離させる工程との少なくとも一方は、ＳＥＭで実行される。
【請求項３１】
方法であって、
集束イオンビーム（ＦＩＢ）で基板を切断することにより、前記基板から少なくとも部分的に試料を切断する工程と、
前記試料を捕持するよう構成された圧着エンドエフェクタを有するアセンブリツールを前記試料に近接させて位置決めする工程と、
前記圧着エンドエフェクタを介して前記試料に力を加える工程であって、前記力は、前記圧着エンドエフェクタと前記試料とを圧着させる上で十分な大きさを有することにより前記試料を捕持する、前記試料に力を加える工程と、
前記捕持済み試料を前記基板から分離させる工程と
を有する方法。
【請求項３２】
請求項３１記載の方法であって、
前記捕持済み試料を検査用に電子顕微鏡へ移送する工程と、
前記電子顕微鏡で前記試料を検査する工程と
をさらに有する方法ものである。
【請求項３３】
請求項３１記載の方法において、前記試料に力を加える工程は、前記圧着エンドエフェクタが連結されている作動装置を作動させる工程を含むものである。
【請求項３４】
請求項３３記載の方法において、前記作動装置を作動させる工程は電熱的作動工程を含むものである。
【請求項３５】
請求項３３記載の方法において、前記作動装置を作動させる工程は静電気的作動工程を含むものである。
【請求項３６】
システムであって、
基板から少なくとも部分的に試料を切断する集束イオンビーム（ＦＩＢ）手段と、
前記試料を捕持するよう構成された把持要素と、
前記試料を捕持するため前記把持要素を作動させる手段と、
前記捕持済み試料を前記基板から分離させる手段と
を有するシステム。
【請求項３７】
請求項３６記載のシステムであって、前記捕持済み試料を検査用に顕微鏡へ移送する手段をさらに有するシステムものである。
【請求項３８】
請求項３７記載のシステムにおいて、前記顕微鏡は透過型電子顕微鏡である。
【請求項３９】
請求項３７記載のシステムにおいて、前記顕微鏡は走査型電子顕微鏡である。
【請求項４０】
請求項３７記載のシステムにおいて、前記顕微鏡は走査型透過電子顕微鏡である。
【請求項４１】
請求項３６記載のシステムにおいて、前記把持要素は、開放位置と閉塞位置との間で前記把持要素を構成する一体型作動装置を具備するものである。
【請求項４２】
請求項３６記載の方法において、前記把持要素は、熱的に作動するエンドエフェクタであって、前記エンドエフェクタの加熱時および冷却時の少なくとも一方で前記試料を捕持するよう構成された熱的に作動するエンドエフェクタを具備するものである。
【請求項４３】
請求項４２記載のシステムにおいて、前記把持要素は、前記エンドエフェクタを作動させるよう構成された一体型ヒーターを具備するものである。
【請求項４４】
請求項４３記載のシステムにおいて、前記一体型ヒーターは抵抗加熱されるものである。
【請求項４５】
請求項３６記載のシステムにおいて、前記把持要素は可鍛エンドエフェクタを有し、前記把持要素を作動させる手段は、前記試料に抗し前記エンドエフェクタを押圧して圧着を生じさせる手段を具備するものである。
【請求項４６】
請求項３６記載のシステムにおいて、前記把持要素は検査中に前記試料を固定するよう構成されているものである。
【請求項４７】
請求項３６記載のシステムにおいて、前記把持要素を作動させる手段は、自動化により前記把持要素を作動させて前記試料を捕持する自動手段を具備するものである。
【請求項４８】
請求項３６記載のシステムにおいて、前記捕持済み試料を前記基板から分離させる手段は、自動化により前記捕持済み試料を前記基板から分離させる自動手段を具備するものである。
【請求項４９】
請求項３６記載のシステムであって、
前記少なくとも部分的に試料を切断する工程中に前記ＦＩＢ手段を制御し、
前記試料捕持中に前記作動手段を制御し、
前記試料分離中に前記分離手段を制御する
自動化手段をさらに有するシステムものである。
【請求項５０】
ＦＩＢで調製した試料を捕持する把持要素であって、
ハンドリングアセンブリに連結されるよう構成された本体と、
前記本体に連結された作動部材と、
前記作動部材に連結され、前記作動部材の作動に応答してＦＩＢで調製した試料を捕持するよう構成された把持部材と
を有する把持要素ものである。
【請求項５１】
請求項５０記載の把持要素において、前記作動は電熱的作動である。
【請求項５２】
請求項５０記載の把持要素において、前記把持部材は複数の把持部材のうちの第１把持部材である。
【請求項５３】
請求項５２記載の把持要素において、前記複数の把持部材は、それぞれ実質的に互いの鏡像である。
【請求項５４】
請求項５０記載の把持要素において、前記把持部材は、前記ＦＩＢで調製した試料の第２の輪郭に対応した第１輪郭を具備するものである。
【請求項５５】
請求項５４記載の把持要素において、前記第１輪郭は実質的に非矩形である。
【請求項５６】
方法であって、
集束イオンビーム（ＦＩＢ）で基板を切断することにより、前記基板から少なくとも部分的に試料を切断する工程と、
把持要素で前記基板試料を捕持する工程と、
前記捕持済み試料を前記基板から分離させる工程と、
前記把持要素を作動させることにより、捕持済み前記基板試料をリリースする工程と
を有する方法。
【請求項５７】
請求項５６記載の方法において、前記把持要素で前記基板試料を捕持する工程は、前記把持要素で前記基板試料を受動的に捕持する工程を実質的に含むものである。
【請求項５８】
請求項５６記載の方法において、前記把持要素は、前記把持要素での前記基板試料の捕持中、実質的に一定な温度を維持するものである。
【請求項５９】
請求項５６記載の方法において、前記把持要素は、前記基板試料を受動的に捕持するよう構成されている。
【請求項６０】
請求項５６記載の方法において、前記把持要素は、前記把持要素に電力が実質的に供給されていない状態である場合に、前記基板試料を受動的に捕持するよう構成されているものである。
【請求項６１】
請求項５６記載の方法において、前記把持要素で前記基板試料を捕持する工程は、前記把持要素が非作動状態である場合に前記基板試料を捕持する工程を含むものである。
【請求項６２】
請求項５６記載の方法において、前記把持要素が前記基板試料を捕持している間は、前記把持要素へ電力は実質的に供給されないものである。
【請求項６３】
ＦＩＢで調製した試料を捕持する把持要素であって、
ハンドリングアセンブリに連結されるよう構成された本体と、
前記本体に連結された作動部材と、
前記作動部材に連結された把持部材であって、ＦＩＢで調製した試料を捕持するよう構成され、前記作動部材の作動に応答して前記ＦＩＢで調製した試料をリリースするようさらに構成された把持部材と
を有する把持要素。
【請求項６４】
請求項６３記載の把持要素において、前記把持部材は、前記ＦＩＢで調製した試料を受動的に捕持するよう構成されているものである。
【請求項６５】
請求項６３記載の把持要素において、前記作動は電熱的作動である。
【請求項６６】
請求項６３記載の把持要素において、前記把持部材は複数の把持部材のうちの第１把持部材である。
【請求項６７】
請求項６６記載の把持要素において、前記複数の把持部材は、それぞれ実質的に互いの鏡像である。
【請求項６８】
請求項６３記載の把持要素において、前記把持部材は、前記ＦＩＢで調製した試料の第２の輪郭に対応した第１輪郭を具備するものである。
【請求項６９】
請求項６８記載の把持要素において、前記第１輪郭は実質的に非矩形である。
【発明の詳細な説明】
【技術分野】
【０００１】
本発明は、米国標準技術局（Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ、略称ＮＩＳＴ）より付与された７０ＮＡＮＢ１Ｈ３０２１の下、米国政府の助成により成されたものである。米国政府は、本発明の一定の権利を有する。
【０００２】
本願は、２００４年２月２３日付け申請済みＢａｕｒらの米国仮出願第６０／５４６，８４０号"ＡＵＴＯＭＡＴＥＤ  ＡＮＤ  ＳＥＭＩ−ＡＵＴＯＭＡＴＥＤ  ＰＲＯＢＩＮＧ  ＩＮ  Ａ  ＣＨＡＲＧＥＤ  ＰＡＲＴＩＣＬＥ  ＢＥＡＭ  ＤＥＶＩＣＥ"（荷電粒子ビーム装置における自動および半自動のプロービング）に関し、その出願日に基づく利益を主張するものでもある本明細書での言及によりその開示全体を本明細書に組み込むものとする。
【０００３】
また、本願は、（１）ＰＣＴ出願番号ＰＣＴ／ＵＳ０３／１６６９５、Ｄｙｅｒの"ＭＡＮＩＰＵＬＡＴＩＯＮ  ＳＹＳＴＥＭ  ＦＯＲ  ＭＡＮＩＰＵＬＡＴＩＮＧ  Ａ  ＳＡＭＰＬＥ  ＵＮＤＥＲ  ＳＴＵＤＹ  ＷＩＴＨ  Ａ  ＭＩＣＲＯＳＣＯＰＥ"（顕微鏡で研究対象試料を操作するための操作システム）および（２）米国特許出願第１０／１７３，５４３号、Ｙｕらの"ＭＯＤＵＬＡＲ  ＭＡＮＩＰＵＬＡＴＩＯＮ  ＳＹＳＴＥＭ  ＦＯＲ  ＭＡＮＩＰＵＬＡＴＩＮＧ  Ａ  ＳＡＭＰＬＥ  ＵＮＤＥＲ  ＳＴＵＤＹ  ＷＩＴＨ  Ａ  ＭＩＣＲＯＳＣＯＰＥ"（顕微鏡で研究対象試料を操作するためのモジュラー操作システム）と（本明細書での言及によりその開示全体を本明細書に組み込むものとする）に関連するものである。本明細書での言及によりその開示全体を本明細書に組み込むものとする。
【背景技術】
【０００４】
電子顕微鏡機器は、マイクロスケールおよびナノスケールの対象物に対する検査および操作の実行に必要とされることが多い。一般に、電子顕微鏡では研究対象試料を照射するため電子ビームが使用され、その電子ビームの波長は、光学顕微鏡で使う光の波長よりはるかに短い。近年の電子顕微鏡では、サブナノメートルの分解能（約０．１ｎｍの分解能など）、すなわち最高約１００万倍の倍率で、原子レベルの細部を見ることができる。電子顕微鏡その他同様に使用できる顕微鏡としては、原子間力顕微鏡、走査型プローブ顕微鏡法、走査型トンネリング顕微鏡、走査型近接場光学顕微鏡、透過型電子顕微鏡などがある。
【０００５】
走査型電子顕微鏡（ｓｃａｎｎｉｎｇ  ｅｌｅｃｔｒｏｎ  ｍｉｃｒｏｓｃｏｐｅ、略称ＳＥＭ）は、別タイプの電子顕微鏡である。典型的なＳＥＭでは、電子のビームを１点に焦点合わせし、試料の表面を走査する。検出器は、試料表面から反射される、あるいは試料表面から生じる後方散乱電子および二次電子を回収し、それらを試料についての写実的な３次元画像を生成するための信号に変換する。この走査工程中、検出器は前記表面の凹部から受け取る電子が比較的少ないため、表面のより低い領域は結果として得られる画像でより暗色になる。ＳＥＭでは、最高約２００，０００の倍率、場合によってはそれ以上の倍率が得られる。
【０００６】
集束イオンビーム（ｆｏｃｕｓｅｄ  ｉｏｎ  ｂｅａｍ、略称ＦＩＢ）システムは、試料走査で電子ビームの代わりにイオンビームが使用されることを除き、走査型電子顕微鏡に類似している。このイオンビームは、液体金属イオン源（ガリウムなど）から通常約１０ｎｍ未満のスポットサイズで放出される。ＦＩＢ技術は、ＴＥＭまたは他の電子顕微鏡による検査用に試料を調製するため使用できる。
【０００７】
ＴＥＭ用に調製したＦＩＢ試料は、関心のある特定サイトから電子透過断面を迅速に調製する手段をもたらす「リフトアウト」法により製造されることが多い。このリフトアウト法では、試料表面から小型試料を作製するよう、比較的大きなバルク試料をＦＩＢチャンバーに挿入することができる。次に、静電プローブを使って前記小型試料をその溝から取り出して「リフトアウト」し（取り出し）、検査グリッド上に配置する。
【０００８】
ただし、静電プローブで取り出した試料を正確に位置決めおよび／または配向することが困難な場合もある。例えば、試料は単に静電力によって一時的に前記プローブに結合するだけで堅固に固定されるわけではないため、プローブから外れる、および／または汚染・破壊される恐れがある。そのため、試料の結合先または溶接先である検査グリッドが必要になりうる。このような工程では、単一配向だけで試料の検査が可能であり、可能性として基板または基板領域を十分に検査するため複数試料の検査が必要になる。
【発明を実施するための最良の形態】
【０００９】
以下の開示では、種々の実施形態の異なる特徴を実施するため、多数の異なる実施形態または実施例を提供していることは言うまでもない。以下では、本開示を簡略化するため構成要素および配置の特定の例を説明している。当然のことながら、これらは単なる例に過ぎず、限定を意図するものではない。また、本開示では種々の例で繰り返し参照符号を使用する場合がある。この反復は簡潔性および明瞭性のためであり、それ自体が種々の実施形態および／または開示される構成の関係を決定するものではない。さらに、以下の説明における第２の特徴より上位にある、または前記第２の特徴上にある第１の特徴の構造は、前記第１の特徴および前記第２特徴が直接接触して構成される実施形態を含む場合があり、また前記第１の特徴と前記第２特徴が直接接触し合わないよう前記第１の特徴と前記第２の特徴の間に追加特徴が介在可能な実施形態を含む場合もある。
【００１０】
図１は、本開示の態様に係る顕微鏡検査システム１００の一実施形態の少なくとも一部の断面図を例示したものである。このシステム１００は、集束イオンビーム（ｆｏｃｕｓｅｄ  ｉｏｎ  ｂｅａｍ、略称ＦＩＢ）手段１２０を収容するＦＩＢチャンバー１１０を具備することができる。このチャンバー１１０は、ＦＩＢでの試料調製後に電子顕微鏡で検査する基板１４０を支持する際に使用することができるものなどを含むステージ１３０も収容される。このＦＩＢチャンバー１１０は、従来の真空槽でも、今後開発される真空槽でも、あるいはＦＩＢ手順が実施される他タイプのチャンバーであってもよい。前記ＦＩＢ手段１２０は、前記基板１４０の試料を検査用に調製するため、ＦＩＢ手順を実施する従来の機器または今後開発される機器を前記基板１４０上に具備される。例えば、このＦＩＢ手段１２０は、イオンビームを生成するイオン源と、このイオンビームで所定の位置を照射するイオンビーム光学系を具備される。前記ステージ１３０は、前記チャンバー１１０および／または前記ＦＩＢ手段１２０に対し、最高６の自由度で前記基板１４０を位置決めおよび配向するよう構成される。
【００１１】
前記システム１００は、ハンドリングアセンブリ１５０、または前記ＦＩＢチャンバー１１０および電子顕微鏡チャンバー１６０の間でＦＩＢで調製した試料（ＦＩＢ調製試料）を移送する場合などに使用される組み立て、配向、および／または操作用の他のツールも具備する。前記ハンドリングアセンブリ１５０は、前記ＦＩＢチャンバー１１０または前記電子顕微鏡チャンバー１６０のどちらかに取り外し自在に連結されるが、自立構造の機器であってもよい。このハンドリングアセンブリ１５０は、ＦＩＢ調製試料と整合するよう構成された把持要素１５５を具備する。一部の実施形態では、このハンドリングアセンブリ１５０、またはその一部か機能かが、例えば前記ＦＩＢチャンバー１１０および／または前記顕微鏡チャンバー１６０など、前記ハンドリングアセンブリ１５０が使用されるチャンバー内に実質的に収容されうる。例えば、位置決めシステムまたは他タイプのマニピュレータが前記ハンドリングアセンブリ１５０の少なくとも一部を構成し、試料が操作される前記チャンバー内に収容されるようにしてもよい。
【００１２】
このシステム１００は、それぞれが１若しくはそれ以上の把持要素１５５を具備される２つ以上のハンドリングアセンブリ１５０も具備される。各把持要素１５５は、１若しくはそれ以上のＦＩＢ調製試料と整合するようにも構成される。従って、複数の試料を直列または並列どちらでも調製および／または操作でき、これは可能性として、以下さらに説明するとおり自動化により実施される。２つ以上のハンドリングアセンブリ１５０または把持要素１５５を使用する場合、各ハンドリングアセンブリ１５０は、互いに実質的に類似したものであっても、そうでなくてもよく、各把持要素１５５も、互いに実質的に類似したものであっても、そうでなくてもよい。
【００１３】
この把持要素１５５は、前記電子顕微鏡チャンバー１６０内の検査グリッド１７０上にＦＩＢ調製試料を位置決めするよう、ＦＩＢ試料を最高６の自由度で位置決めまたは配向するようにも、あるいは可能性として前記検査グリッド１７０がない場合はＦＩＢ調製試料を検査中に前記電子顕微鏡チャンバー１６０内で固定するようにも構成される。この把持要素１５５は、静電気的、熱的、および／または圧電的に作動させるなどして、ＦＩＢ調製試料を把持するよう作動させうる。この把持要素１５５は、二者択一的または付加的に、作動停止させることによりＦＩＢ調製試料を把持するようにもできる。すなわち、この把持要素１５５は、電源オンの状態でＦＩＢ調製試料を把持し電源オフの状態でＦＩＢ調製試料をリリースするか、電源オフの状態でＦＩＢ調製試料を把持し電源オンの状態でＦＩＢ調製試料をリリースするか、電源オンの状態でＦＩＢ調製試料を把持し電源オンの状態でＦＩＢ調製試料をリリースするか、電源オフの状態でＦＩＢ調製試料を把持し電源オフの状態でＦＩＢ調製試料をリリースするか、のように構成される。
【００１４】
このハンドリングアセンブリ１５０と、可能性として前記把持要素１５５とは、前記ＦＩＢチャンバー１１０内での試料調製中に実行される１若しくはそれ以上の手順工程、前記電子顕微鏡チャンバー１６０への試料移送、および／または前記電子顕微鏡チャンバー内での試料検査が、一度前記のような手続き工程を始動すると人の手をほとんど、またはまったく介さずに実行できるよう、手操作および／または（自動）ロボット操作される。一部の手順工程は、人の手をほとんど、またはまったく介すことなく、前手順により自動的に始動させることもできる。
【００１５】
前記電子顕微鏡チャンバー１６０は、従来の真空槽でも、今後開発される真空槽でも、あるいは電子顕微鏡手順を実行される他タイプのチャンバーであってもよい。この電子顕微鏡チャンバー１６０はステージ１８０を具備してよく、このステージ１８０は、前記検査グリッド１７０を支持し、この検査グリッド１７０が使用されない場合はＦＩＢ調製試料を支持し、かつ／または前記ハンドリングアセンブリ１５０と協動して、ＦＩＢ調製試料を検査中に位置決めおよび配向する。この電子顕微鏡チャンバー１６０は、ＦＩＢ調製試料を検査するための検査手段１９０も具備する。一実施形態では、この検査手段１９０は透過型電子顕微鏡（ｔｒａｎｓｍｉｓｓｉｏｎ  ｅｌｅｃｔｒｏｎ  ｍｉｃｒｏｓｃｏｐｅ、略称ＴＥＭ）を具備する。言うまでもなく、この検査手段１９０は、走査型電子顕微鏡（ｓｃａｎｎｉｎｇ  ｅｌｅｃｔｒｏｎ  ｍｉｃｒｏｓｃｏｐｅ、略称ＳＥＭ）、原子間力顕微鏡、走査型プローブ顕微鏡法、走査型トンネリング顕微鏡（ｓｃａｎｎｉｎｇ  ｔｕｎｎｅｌｉｎｇ  ｍｉｃｒｏｓｃｏｐｅ、略称ＳＴＭ）、走査型近接場光学顕微鏡など、他の顕微鏡機器を具備される。この検査手段１９０は、イオン顕微鏡または光学顕微鏡など、電子顕微鏡以外の検査手段、または電子顕微鏡に追加した検査手段も具備される。ただし、単に簡潔化のため、本明細書におけるいかなる顕微鏡機器または顕微鏡装置への言及も電子顕微鏡装置への言及であるとし、このような言及はイオン顕微鏡または光学顕微鏡など他の顕微鏡装置も含むよう意図される。前記検査手段１９０は、２つ以上の顕微鏡機器も具備される。例えば、前記電子顕微鏡チャンバー１６０および／または前記システム１００は、検査および／または付加的な試料調製工程に１若しくはそれ以上のチャンバーが使用されるよう、複数のチャンバーであって、それぞれ検査工程で１若しくはそれ以上の工程に使用される複数のチャンバーを具備することができる。
【００１６】
このシステム１００の操作の一実施形態では、検査対象である前記基板１４０は、前記ステージ１３０および／または前記ハンドリングアセンブリ１５０の操作などにより、前記ＦＩＢチャンバー１１０内で配向される。その後、従来のＦＩＢ工程または今後開発されるＦＩＢ工程が実行されて、前記基板１４０から後続検査用の試料が画成される。次に試料は、手操作および／またはロボット操作により前記把持要素１５５で把持、係合、固定、あるいは捕持（本明細書において以下、「捕持」と総称する）されたのち、手操作および／またはロボット操作で前記ＦＩＢチャンバー１１０から取り出される。次に、前記ハンドリングアセンブリ１５０および前記把持要素１５５は、前記ＦＩＢ調製試料を前記電子顕微鏡チャンバー１６０へ移送し、前記電子顕微鏡手段１９０により前記ＦＩＢ調製試料を検査用に配向する。前記ＦＩＢ調製試料の移送および／または配向は、手操作または（自動）ロボット操作することができる。
【００１７】
ＦＩＢ調製試料は、検査中、前記把持要素１５５に捕持されたままであってよい。異なる別の実施形態では、ＦＩＢ調製試料が検査前に前記把持要素１５５からリリースされるよう、前記ハンドリングアセンブリ１５０および前記把持要素１５５が検査前に前記検査グリッド１７０上でＦＩＢ調製試料を位置決めおよび配向する。あるいは、これらハンドリングアセンブリ１５０および把持要素１５５は、前記電子顕微鏡チャンバー１６０内でのＦＩＢ調製試料配置前に前記検査グリッド１７０上でＦＩＢ調製試料を位置決めおよび／または配向してもよく、その場合、前記検査グリッド１７０は、ＦＩＢ調製試料が前記把持要素１５５からリリースされた後、前記電子顕微鏡チャンバー１６０内で位置決めおよび／または配向される。
【００１８】
前記システム１００の操作では、電子顕微鏡での検査前に前記ＦＩＢチャンバーからＦＩＢ調製試料を取り出す必要がない場合がある。例えば、単一のチャンバー（または複数チャンバーツール）が前記ＦＩＢ手段１２０および前記電子顕微鏡手段１９０の双方を具備する場合がある。その結果、ＦＩＢ調製試料は単に前記ＦＩＢ手段１２０および前記電子顕微鏡手段１９０の作業領域間を移送するだけで、前記ハンドリングアセンブリ１５０および前記把持要素１５５により適切に配向されうるか、もしくはＦＩＢ調製試料は実質的に静止したままでＦＩＢ手段１２０が前記試料から離れる方向へ向かって再位置決めされ、前記電子顕微鏡手段１９０が検査のため前記試料に近接させて再位置決めされるようにできる。
【００１９】
一部の実施形態では、前記検査グリッド１７０は、１若しくはそれ以上のラッチ、クランプ、ソケット、ハンドル、またはこれらの組み合わせといった把持手段か、試料を連結あるいは固定する他の手段かを具備することができる。このような把持手段は、以下で説明する把持要素の１若しくはそれ以上の実施形態を具備する、および／またはそれに類似しうる。例えば一実施形態では、前記検査グリッド１７０は、互いに抗して付勢された、あるいは互いに近接または接触した２つ以上の把持部材を有する把持手段を具備してよく、その場合、前記把持部材は弾性または付勢自在な性質を有することができる。このような実施形態では、ＦＩＢ調製試料は前記把持部材間の位置へ移動され、前記検査グリッド１７０の把持部材の付勢自在な性質のため前記試料を前記検査グリッド１７０に溶接または永久固定することなく前記試料が固定されるよう、前記把持要素１５５によりリリースされる。前記検査グリッド１７０の前記把持部材は、例えばＦＩＢ調製試料の前記検査グリッド１７０への固定を、可能性として１若しくはそれ以上の所定位置において堅固なものにする、あるいは改善または支援するよう構成されるものなど、前記試料の外部輪郭に対応した内部輪郭または他の輪郭も有することができる。
【００２０】
したがって一部の実施形態では、前記把持要素１５５を使用して前記検査グリッド１７０上で前記試料を初期位置決めし、前記試料をリリースしたのち、再び前記試料を把持し再配向して前記試料を前記検査グリッド１７０上で新しい配向に位置決めすることができる。同様に一部の実施形態では、前記把持要素１５５を使用して前記検査グリッド１７０上で前記試料を初期位置決めし、前記試料をリリースしたのち、再び前記試料を把持し、追加顕微鏡チャンバーなど異なる別の検査環境および／または処理環境に前記試料を移送することができる。
【００２１】
図２は、本開示の態様に係る把持要素２００の一実施形態の少なくとも一部の概略図を例示したものである。一実施形態では、この把持要素２００は、前記把持要素１５５などの役割を果たすものとして図１に示した前記システム１００において使用されうる。この把持要素２００は、前記把持要素２００の表面上または内部に形成されたボンドパッド２１５を有する本体２１０を具備することができる。この把持要素２００は、ＦＩＢ技術などにより基板２０２から調製された試料２０５を把持する作動装置２２０も具備する。この作動装置２２０は、１若しくはそれ以上の作動部材２３０を具備し、これらの作動部材２３０はリボン形状の直線状部材および／または成形部材であるか、これを具備することができる。これら作動部材２３０の遠端２４０は、前記本体２１０と一体化または連結することができる。これら作動部材２３０の近端は、スペーサー部材２５０などにより互いに連結することができる。あるいは、これら作動部材２３０のうち１若しくはそれ以上が実質的に前記作動装置２２０の幅だけ延在してもよく、可能性としては（例えば図２のように前記本体２１０の中心部へ向かって）角度を成した凹型輪郭または弓形の凹型輪郭を有するか、（例えば前記本体２１０の中心部から離れる方向へ傾斜して）角度を成した凹型輪郭または弓形の凹型輪郭を有する。
【００２２】
前記把持要素２００は、前記作動部材２３０と一体化されているか、これに連結された把持部材２７０も具備する。これらの把持部材２７０は、前記把持要素２００の作動時または作動停止時に、前記ＦＩＢ調製試料２０５を固定するよう構成されている。例えば、前記作動部材２３０は熱エネルギーの付与に応答して膨張および収縮するよう構成される。このような熱エネルギー付与は、加熱ランプ、加熱板、またはオーブンを使用することにより達成することができる。局部的な加熱は、レーザー装置でも達成することができる。一実施形態では、前記作動部材２３０は、この作動部材２３０に沿って流される電流により生成される熱エネルギーに応答して膨張および収縮するよう構成されている。例えば、前記作動部材２３０、または前記把持要素２００の他の部分は、電気抵抗素子、または電流に応答して温度上昇する材料を有することができる。このため、前記作動部材２３０は、ボンドパッド２１５か、電流源または電圧源と相互接続するための他手段かに直接または間接に連結されうる。
【００２３】
抵抗加熱に応答して前記把持要素２００が作動または作動停止される実施形態では、このような抵抗加熱を前記作動装置２２０内にもたらことができる前記抵抗素子は、単結晶シリコン、ドープ多結晶シリコン（ポリシリコン）、および／または電流に応答して熱エネルギーを生成する従来の、または今後開発される他の材料など、一定長さの抵抗材料をいくつか有することができる。この抵抗素子は、前記把持要素２００が作動されたとき前記抵抗素子により散逸する熱エネルギーが前記作動部材２３０を膨張収縮させる上で十分であるよう、前記作動部材２３０の内部または表面上に位置するか、あるいは前記作動部材２３０から十分短距離にある前記把持要素２００の内部または表面上の他の位置に配置される。
【００２４】
前記作動部材２３０は、前記把持部材２７０または前記作動部材２３０に印加したバイアス電圧に応答して膨張および収縮するよう、付加的または二者択一的に構成される。このようなバイアス電圧は、前記作動部材２３０または前記把持部材２７０を電圧源と相互接続することにより達成され、可能性としてはこのような相互接続手段として前記ボンドパッド２１５が使用される。一実施形態では、これら作動部材２３０は、熱的に作動されず他の手段で作動されるよう、熱エネルギー以外に応答して膨張および／または収縮するよう構成される。一実施形態では、これら作動部材２３０またはその一部、および／またはその内部に付随した支持構造は、電気的および／または熱的に作動されるものなどを含む形状記憶合金を有することができる。
【００２５】
前記作動部材２３０は、付与される熱エネルギーに応答した温度上昇に伴って膨張する。本開示では種々の熱膨張スキームが企図されているが（構造、熱膨張係数とそれに対応した膨張方向など）、例示した実施形態では、長さが幅または高さより著しく大きい前記作動部材２３０を示している。これにより、熱エネルギーを付与すると、これらの作動部材２３０は他のどの方向よりも長さ方向に膨張する。ただし、前記作動部材２３０の端部２４０は固定されているため、これら作動部材２３０は長さ方向に膨張し、前記本体２１０の中心部へ向かって曲がるか平行移動する。その結果、これら作動部材２３０の中点および前記スペーサー部材２５０は、前記本体２１０の中心部へ向かって平行移動する。前記作動部材２３０の中点は中心を外して同じ方向へ傾斜させてあるため、それぞれの膨張中に同じ方向へ曲がるか平行移動する。
【００２６】
その結果、前記スペーサー部材２５０が前記本体２１０の中心部へ向かって平行移動し、前記作動部材２７０の対向し合う部分間の角度が狭まる。これにより、前記スペーサー部材２５０が前記本体２１０の中心部へ向かって平行移動することに加え、前記把持部材２７０も内向きに回転して前記ＦＩＢ調製試料２０５の両側面を把持する。
【００２７】
一実施形態では、熱エネルギーの付与に応答した位置決めの後など、作動済み状態での前記把持部材２７０の位置は試料がリリースされた位置でありうる。このような実施形態では、これら把持部材２７０は、電源オフの状態で前記ＦＩＢ調製試料２０５を固定することができる。言い換えると、前記把持部材２７０は、熱エネルギーまたは他の作動手段に応答して膨張すると互いに遠ざかり、熱エネルギーまたは他の作動手段の除去時には収縮して閉塞位置になりうる。これにより、熱エネルギーまたは他の作動手段は前記試料２０５を把持する前に前記把持部材２７０を前記試料２０５に近接させて初期位置決めする際だけ必要となり、チャンバー間またはツール間で前記ＦＩＢ調製試料２０５を移送する間、またはチャンバー内またはツール内で前記ＦＩＢ調製試料２０５を位置決めまたは配向している間、熱エネルギーを付与し続ける必要はなくなる。
【００２８】
一実施形態では、前記把持要素２００はマイクロ電子（電気）機械システム（ｍｉｃｒｏ−ｅｌｅｃｔｒｏ−ｍｅｃｈａｎｉｃａｌ  ｓｙｓｔｅｍ、略称ＭＥＭＳ）の装置として製造することができる。例えば、基板上に絶縁層および１若しくはそれ以上の導電層を連続的に積み重ねることができる。前記本体２１０および前記作動装置２２０は、マイクロマシニングおよび／または、可能性としてフォトレジストまたは他材料のマスクを使用した従来のエッチング工程か今後開発されるエッチング工程かによりこの導電層内に画成することができる。前記ボンドパッド２１５は、前記本体２１０と同じ導電層から形成するか、前記本体２１０が画成されている導電層より上位にある第２の導電層内に画成することができる。前記把持要素２００は、図１に示した前記ハンドリングアセンブリ１５０などのハンドリングアセンブリとのインターフェース用手段も具備するが、このようなインターフェース手段は本開示の範囲により限定されるものではない。このようなインターフェース手段は前記本体２１０を画成する層内に画成することができる。前記絶縁層は非ドープシリコン、二酸化ケイ素、異なる別の酸化物、または電気絶縁材料を含有してよく、前記１若しくはそれ以上の導電層は、ドープポリシリコン、金、および／または他の導電性材料を含有してよい。
【００２９】
図３は、本開示の態様に係る把持要素３００の異なる別の一実施形態の少なくとも一部の概略図を例示したものである。この把持要素３００は、組成および製造上、図２に示した前記把持要素２００に実質的に類似したものであってよく、図１に示した前記システム１００などの電子顕微鏡システムで使用することができる。
【００３０】
この把持要素３００は、前記把持要素２００の表面上または内部に形成されたボンドパッド３１５を有する本体３１０を具備することができる。この把持要素３００は、ＦＩＢ技術などにより基板３０２から調製された試料３０５を捕持する作動装置３２０も具備することができる。この作動装置３２０は、１若しくはそれ以上の作動部材３３０を具備し、これらの作動部材３３０はリボン形状の直線状部材および／または成形部材であるか、これを具備することができる。これら作動部材３３０の端部３４０は、前記本体３１０と一体化または連結することができる。これら作動部材３３０は、その中点３５０かその付近かでスペーサー部材などにより互いに連結されていてもよい。さらに、これらの中点３５０は、前記本体３１０の中心部へ向かって、またはそれから離れる方向へわずかにオフセットまたは傾斜された中立位置を有することができる。例示した実施形態では、前記中点３５０は前記本体３１０の中心部から離れる方向へ傾斜されている。
【００３１】
前記把持要素３００は、前記作動部材３３０と一体化されているか、これに連結された把持部材３７０も具備する。この把持部材３７０は、前記把持要素３００の作動時または作動停止時に、前記ＦＩＢ調製試料３０５を固定するよう構成されている。例えば、この把持部材３７０は、前記ＦＩＢ調製試料３０５と整合するよう構成された圧着エンドエフェクタ３７５を有することができる。言うまでもなく、この圧着エンドエフェクタ３７５の形状は、図３に示した実質的に半球または半円の形状に限定されず、前記ＦＩＢ調製試料３０５に整合して前記試料３０５の前記基板３０２からの取り出しを助けるよう成形することができる。例えば、この圧着エンドエフェクタ３７５は、この圧着エンドエフェクタ３７５を前記ＦＩＢ調製試料３０５の縁部へ導入する際に役立つ弓形で角度を成した、または直線状の凹型形状を有することができる。
【００３２】
この圧着エンドエフェクタ３７５は、前記ＦＩＢ調製試料３０５との結合を助けるフィルム、または可鍛性で導熱性および／または導電性の他の表面処理であるか、これを有することができる。例えば、このフィルムは金、銀、インジウム、および／または他の材料を有することができる。前記圧着エンドエフェクタ３７５の表面処理または表面処理部は、この圧着エンドエフェクタ３７５の表面を修飾する、あるいは結合能力を強化する１若しくはそれ以上の工程であるか、これを有するか、その結果得られるものである。このようなフィルムおよび／または表面処理には、ナノチューブ構造、ナノチューブ材料、または固有の伸展性をもたらしうる、および／またはファンデルワールス結合力を増加させうる、可能性として凹凸を付けた他の組成物を使用することができる。
【００３３】
前記作動部材３３０は熱エネルギーの付与に応答して膨張および収縮するように構成される。このような熱エネルギー付与は、加熱ランプ、加熱板、またはオーブンを使用することにより達成することができる。局部的な加熱は、レーザー装置でも達成することができる。一実施形態では、前記作動部材３３０は、この作動部材３３０、または前記把持要素３００の他の部分に沿って流される電流により生成される熱エネルギーに応答して膨張および収縮するよう構成されている。例えば、この作動部材３３０は、電気抵抗素子、または電流に応答して温度上昇する材料を有することができる。このため、前記作動部材３３０は、ボンドパッド３１５か、電流源または電圧源と相互接続するための他手段かに直接または間接に連結されうる。
【００３４】
抵抗加熱に応答して前記把持要素３００が作動される実施形態では、このような抵抗加熱を前記作動装置３２０内にもたらすことができる前記抵抗素子は、ドープ多結晶シリコン（ポリシリコン）および／または電流に応答して熱エネルギーを散逸させる従来の、または今後開発される他の材料など、一定長さの抵抗材料をいくつか有することができる。この抵抗素子は、前記把持要素３００が作動されたとき前記抵抗素子により散逸する熱エネルギーが前記作動部材３３０を膨張収縮させる上で十分であるよう、前記作動部材３３０の内部または表面上に位置するか、あるいは前記作動部材３３０から十分短距離にある前記把持要素３００の内部または表面上の他の位置に配置される。前記作動部材３３０は、前記作動部材３３０に印加したバイアス電圧に応答して膨張および収縮するよう、付加的または二者択一的に構成される。このようなバイアス電圧は、前記作動部材３３０を電圧源と相互接続することにより達成され、可能性としてはこのような相互接続手段として前記ボンドパッド３１５が使用される。
【００３５】
前記作動部材３３０は、付与される熱エネルギーに応答した温度上昇に伴って膨張する。本開示では種々の熱膨張スキームが企図されているが（構造、熱膨張係数とそれに対応した膨張方向など）、例示した実施形態では、長さが幅または高さより著しく大きい前記作動部材３３０を示している。これにより、熱エネルギーを付与すると、これらの作動部材３３０は他のどの方向よりも長さ方向に膨張する。ただし、前記作動部材３３０の端部３４０は固定されているため、これら作動部材３３０は長さ方向に膨張して曲がりを生じる。その結果、これら作動部材３３０の前記中点３５０は横方向に平行移動する。前記作動部材３３０の前記中点３５０は中心を外して同じ方向へ傾斜させてあるため、それぞれの膨張中に同じ方向へ曲がる。
【００３６】
これら作動部材３３０の前記中点３５０が前記本体３１０の中心部から離れる方向へ平行移動することにより、前記把持部材３７０もこの本体３１０の中心部から離れる方向へ平行移動する。その結果、前記圧着エンドエフェクタ３７５は前記ＦＩＢ調製試料３０５に接触する。前記圧着エンドエフェクタ３７５は、前記作動部材３３０が膨張することにより前記把持部材３７０を介して与えられた力だけで、前記ＦＩＢ調製試料３０５と結合することができる。ただし、前記エンドエフェクタ３７５および前記ＦＩＢ調製試料３０５の結合は、音響エネルギーおよび／または熱エネルギーを付与することでより強化される。このような熱エネルギーの付与は上述したとおりでよく、その場合、前記熱エネルギーの付与および／または付与停止により、前記エンドエフェクタ３７５と前記ＦＩＢ調製試料３０５との間に機械的および／または化学的な結合が形成される。音響エネルギーの付与には、前記把持要素３００の中央に位置する、または前記把持要素３００から遠く離れた位置にある源からの高周波音または圧力波の照射が含まれうる。
【００３７】
一実施形態では、図３に示した前記把持部材３７０の位置は、熱エネルギーの付与に応答した位置決めの後など、付勢または作動された位置でありうる。これにより、熱エネルギーまたは他の作動手段は、前記ＦＩＢ調製試料３０５を初期固定する際のみ必要となり、前記ＦＩＢ調製試料３０５をチャンバー間またはツール間で移送している間、または前記ＦＩＢ調製試料３０５をチャンバー内またはツール内で位置決めしている間、前記熱エネルギーまたは他の作動手段を付与し続ける必要はなくなる。
【００３８】
さらに異なる別の実施形態では、前記把持部材３７０を前記本体３１０に堅固に連結することができる。そのような実施形態では、前記把持要素３００は、前記作動部材３３０または他のいかなる作動コンポーネントも具備しなくてよい。すなわち前記把持部材３７０は、単に前記本体３１０の位置決めだけにより、前記ＦＩＢ調製試料３０５に近接または接触して位置決めされうる。次に前記把持部材３７０に電流を流すなどして前記把持部材３７０に熱エネルギーが付与され、この熱エネルギーが前記エンドエフェクタ３７５の一部を溶融するかこれに触媒作用を及ぼし、あるいは前記把持部材３７０および前記ＦＩＢ調製試料３０５との結合を強化する。このＦＩＢ調製試料３０５は、前記把持部材３７０および前記ＦＩＢ調製試料３０５の圧着中などに前記把持部材３７０の押圧先となる硬質表面を提供するため、実質的な硬度を有するプラチナまたはタングステンなどの材料の層を含みうる。これにより、前記把持要素３００の作動工程は、この把持要素３００の少なくとも一部に熱エネルギーおよび／または他のエネルギーを付与する工程に加え、またはそれと二者択一的に、物理的に前記把持要素３００を位置決めする工程を有することができる。
【００３９】
図４Ａは、本開示の態様に係る把持要素４００Ａのさらに異なる別の一実施形態の少なくとも一部の概略図を例示したものである。この把持要素４００Ａは、組成および製造上、図２に示した前記把持要素２００に実質的に類似したものであってよく、図１に示した前記システム１００などの電子顕微鏡システムで使用することができる。
【００４０】
この把持要素４００Ａは、前記把持要素２００の表面上または内部に形成されたボンドパッド４１５を有する本体４１０を具備することができる。この把持要素４００Ａは、ＦＩＢ技術などにより基板４０２から調製された試料４０５を把持する作動装置４２０も具備する。この作動装置４２０は、１若しくはそれ以上の作動部材４３０を具備し、これらの作動部材４３０はリボン形状、直線状部材、あるいは成形部材であるか、これを有することができる。これら作動部材４３０の第１の端４４０は、前記本体４１０と一体化または連結することができる。
【００４１】
これら作動部材４３０は、前記本体４１０の反対端において把持部材４７０Ａも具備する。これらの把持部材４７０Ａは、前記作動部材４３０に一体化または連結することができる。これらの把持部材４７０Ａは、前記把持要素４００Ａの作動時または作動停止時に、前記ＦＩＢ調製試料４０５を固定するよう構成されている。例えば、これら把持部材４７０Ａは、前記ＦＩＢ調製試料４０５を囲むように適合する、あるいはそれに対応するよう構成された三角形の先端４７５を有することができる。付加的または二者択一的に、前記把持部材４７０Ａは、ＦＩＢ工程中など前記基板４０２内および／または前記試料４０５内に形成される１若しくはそれ以上の穴（ｈｏｌｅｓ）、開口部（ａｐｅｒｔｕｒｅｓ）、凹部（ｒｅｃｅｓｓｅｓ）、凹部（ｉｎｄｅｎｔａｔｉｏｎｓ）、スロット（ｓｌｏｔｓ）、溝（ｔｒｅｎｃｈｅｓ）、または他の開口部４０３に対し協動する、係合する、嵌入される、あるいは対応するように構成される。前記先端４７５の形状は、図４Ａに示した三角形または先端を面取りした三角形に限定されるものではなく、前記ＦＩＢ調製試料４０５を囲むように適合する、および／または前記開口部４０３内に適合して前記４０５を把持し前記基板４０２から取り外すよう成形することができる。
【００４２】
前記作動部材４３０は熱エネルギーの付与に応答して膨張および収縮するように構成される。このような熱エネルギー付与は、加熱ランプ、加熱板、またはオーブンを使用することにより達成することができる。局部的な加熱は、レーザー装置でも達成することができる。一実施形態では、前記作動部材４３０は、これらの作動部材４３０、または前記把持要素４００Ａの他の部分に沿って流される電流により生成される熱エネルギーに応答して膨張および収縮するよう構成されている。例えば、この作動部材４３０は、電気抵抗素子、または電流に応答して温度上昇する材料を有することができる。このため、前記作動部材４３０は、ボンドパッド４１５か、電流源または電圧源と相互接続するための他手段かに直接または間接に連結されうる。
【００４３】
抵抗加熱に応答して前記把持要素４００Ａが作動される実施形態では、このような抵抗加熱を前記作動装置４２０内にもたらすことができる前記抵抗素子は、ドープ多結晶シリコン（ポリシリコン）および／または電流に応答して熱エネルギーを生成する従来の、または今後開発される他の材料など、一定長さの抵抗材料をいくつか有することができる。この抵抗素子は、前記把持要素４００Ａが作動されたとき前記抵抗素子により散逸する熱エネルギーが前記作動部材４３０を膨張収縮させる上で十分であるよう、前記作動部材４３０の内部または表面上に位置するか、あるいは前記作動部材４３０から十分短距離にある前記把持要素４００Ａの内部または表面上の他の位置に配置される。
【００４４】
前記作動部材４３０は、前記把持部材４７０Ａまたは前記作動部材４３０に印加したバイアス電圧に応答して膨張および収縮するよう、付加的または二者択一的に構成される。このようなバイアス電圧は、前記作動部材４３０または前記把持部材４７０Ａを電圧源と相互接続することにより達成され、可能性としてはこのような相互接続手段として前記ボンドパッド４１５が使用される。
【００４５】
前記作動部材４３０は、付与される熱エネルギーに応答した温度上昇に伴って膨張する。本開示では種々の熱膨張スキームが企図されているが（構造、熱膨張係数とそれに対応した膨張方向など）、例示した実施形態では、長さが幅または高さより著しく大きい前記作動部材４３０を示している。これにより、熱エネルギーを付与すると、これら作動部材４３０は他のどの方向よりも長さ方向に膨張する。これら作動部材４３０が膨張すると、前記把持部材４７０Ａは前記本体４１０から離れる方向へ横方向に伸長する。その結果、前記把持部材４７０Ａは前記ＦＩＢ調製試料４０５と整合する。前記ＦＩＢ調製試料４０５と前記先端４７５の傾斜表面とが干渉しあうことにより、前記把持部材は、前記把持部材４７０Ａが前記ＦＩＢ調製試料の縁部上で少なくとも部分的に摺動する上で必要な程度まで互いに遠ざかる。前記把持要素４００Ａへの熱エネルギー付与または他の作動手段の適用を停止した時点で、前記把持部材４７０Ａは図４Ａに示した中立位置へ向かって付勢されて前記ＦＩＢ調製試料４０５の両側面を把持し、その後の平行移動、位置決め、および／または配向用に前記ＦＩＢ調製試料４０５を捕持する。
【００４６】
一実施形態では、前記作動部材４３０は、熱エネルギーまたは他の作動手段に応答して作動することなく前記ＦＩＢ調製試料４０５を把持するよう構成された可撓性部材でありうる。例えば、これら作動部材４３０は、前記ＦＩＢ調製試料４０５に近接させたのち、この試料４０５の端部へと押圧することができる。前記作動部材４３０は可撓性部材であることから、前記ＦＩＢ調製試料４０５が前記部材４３０間に圧入されることに応答して互いに分離することができる。ただし前記作動部材４３０は、その可撓性のため、前記試料４０５の側面上を下方へ摺動するに伴って前記ＦＩＢ調製試料４０５を挟む際、これを圧迫または把持することができる。その後、前記ＦＩＢ調製試料４０５は、前記基板４０２から完全に切断され、可撓性の前記作動部材４３０による締まりばめだけで捕持された状態になる。これにより、前記把持要素４００Ａの作動工程は、この把持要素４００Ａに熱エネルギー、静電エネルギー、および／または圧電駆動エネルギーまたは手段を付与する工程に加え、またはそれと二者択一的に、物理的に前記把持要素４００Ａを位置決めする工程を有することができる。
【００４７】
図４Ｂおよび４Ｃは対になっており、図４Ａに示した前記把持要素４００Ａのさらに異なる別の実施形態（図中では参照番号４００Ｂ）の概略図を例示したものである。この把持要素４００Ｂは、可能性として以下説明する事柄を除き、前記把持要素４００Ａに実質的に類似したものであってよい。このように、例示した実施形態において前記把持要素４００Ｂは、図４Ａに示した前記把持部材４７０Ａに実質的に類似した把持部材４７０Ｂを具備する。
【００４８】
ただし、各前記把持部材４７０Ｂは、ＦＩＢ調製試料４０５の輪郭に対し係合、協動、あるいは少なくとも部分的に対応するよう構成された内部輪郭４７５を具備する。例えば、この内部輪郭４７５は、図４Ｂおよび図４Ｃに示した実施形態のように、前記試料４０５の１若しくはそれ以上の凹部または開口部４０７に対応したキャスタレーション構造（方形波状構造）、波形のこぎり歯状、のこぎり歯状、あるいは波状の輪郭を有することができる。その結果、前記把持要素４００Ｂが前記試料４０５上に位置決めされるに伴い、この把持要素４００Ｂの前記内部輪郭４７５は、図４Ｃに示すように前記試料４０５の少なくとも一部に係合することができる。言うまでもなく、前記試料４０５の断面形状は、図４Ｂおよび図４Ｃに示した試料４０５の実質的な矩形断面に適合または類似していなくともよい。さらに、実質的に非矩形の断面を有するこのようなＦＩＢ調製試料は、上記の実施形態を含め、本開示の範囲内である他の実施形態でも使用することができる。
【００４９】
一部の実施形態では、この試料４０５は、前記把持要素４００Ｂが前記試料４０５上に位置決めされるに伴い、前記把持部材４７０Ｂの分離を促すか、あるいは前記把持部材４７０Ｂを湾曲させうる。したがって前記把持部材４７０Ｂの一部の実施形態は、前記試料との接触に応答して前記把持部材４７０が互いに離れるよう促し、さらに／あるいは前記把持要素４００Ｂの前記試料４０５上への誘導を助ける表面であって、角度を成した、傾斜した、凹型の、凸型の、あるいは成形された表面（表面４７６など）を有することができる。前記把持部材４７０Ｂは、電気エネルギー、熱エネルギー、および／または上述手段を含む他の作動手段を付与するなどして、前記把持要素４００Ｂを前記試料４０５上に位置決めする際、作動または作動停止させうる。
【００５０】
さらに、これらの把持部材４７０Ｂは、図４Ｂおよび図４Ｃ、また本明細書の他の図に例示した実施形態では互いに鏡像であるが、互いに鏡像でなくともよい。例えば、前記把持部材４７０Ｂのうち第１の把持部材だけが、前記試料４０５の輪郭の少なくとも一部に実質的に対応する上記の内部輪郭４７５を有すようにし、他方、第２の把持部材は実質的に平面状の輪郭、あるいは前記第１の把持輪郭４７５に対し、鏡像でない、または対応しない輪郭を有すようにしてもよい。このような実施形態では、前記第２の把持部材の輪郭は、前記試料４０５の輪郭のいかなる部分にも対応しなくてよい。もちろん、前記把持要素４００Ｂの前記把持部材４７０Ｂ間のこのような相違は、本開示の範囲内で把持要素の他の実施形態にも適用することができる。
【００５１】
図４Ｄおよび図４Ｅは対になっており、図４Ａに示した前記把持要素４００Ａのさらに異なる別の実施形態（図中では参照番号４００Ｃ）の概略図を例示したものである。この把持要素４００Ｃは、可能性として以下説明する事柄を除き、前記把持要素４００Ａに実質的に類似したものであってよい。このように、例示した実施形態において前記把持要素４００Ｃは、図４Ａに示した前記把持部材４７０Ａに実質的に類似した把持部材４７０Ｃを具備する。
【００５２】
ただし、各前記把持部材４７０Ｃは、ＦＩＢ調製試料４０５の輪郭に対し係合、協動、あるいは少なくとも部分的に対応するよう構成された内部輪郭４７５を具備する。図４Ｄおよび図４Ｅでも、前記試料４０５が実質的に矩形の断面以外の断面形状、あるいはこれらの図に示した断面形状を有することができることを例示している。例えば、図４Ｄおよび図４Ｅに示した前記試料４０５は、実質的に三角形状の断面を有している。他の実施形態では、この試料４０５の断面は、非対称または不規則な形状を含む他の幾何学形状を有することができる。ただし、前記試料４０５の断面形状がどのようなものであっても、前記把持部材４７０Ｃの前記内部輪郭４７５は、前記試料４０５の断面形状に対し実質的に適合、係合、協動、あるいは対応することができる。一部の実施形態では、前記把持部材４７０Ｃの前記内部輪郭４７５と、前記試料４０５の断面との対応は、前記試料４０５を前記基板４０２に連結している部分であって、テーパーがかかった、ネック状になった、細くなった、または他の前記試料４０５の部分を引き裂く、もぎ取る、破壊する、破砕する、分離させる、あるいは損傷することにより、可能性としては単に前記試料４０５を把持し前記把持要素４００Ｃを前記基板４０２から離れる方向へ平行移動することにより、前記把持要素４００Ｃが前記試料４０５を前記基板４０２から取り出せるようにする上で十分でありうる。
【００５３】
一部の実施形態では、この試料４０５は、前記把持要素４００Ｃが前記試料４０５上に位置決めされるに伴い、前記把持部材４７０Ｃの分離を促すか、あるいは前記把持部材４７０Ｃを湾曲させうる。したがって前記把持部材４７０Ｃの一部の実施形態は、前記試料との接触に応答して前記把持部材４７０が互いに離れるよう促し、さらに／あるいは前記把持要素４００Ｂの前記試料４０５上への誘導を助ける表面であって、角度を成した、傾斜した、凹型の、凸型の、あるいは成形された表面（表面４７６など）を有することができる。前記把持部材４７０Ｂは、電気エネルギー、熱エネルギー、および／または上述手段を含む他の作動手段を付与するなどして、前記把持要素４００Ｂを前記試料４０５上に位置決めする際、作動または作動停止させうる。
【００５４】
さらに、これらの把持部材４７０Ｂは、図４Ｂおよび図４Ｃ、また本明細書の他の図に例示した実施形態では互いに鏡像であるが、互いに鏡像でなくともよい。例えば、前記把持部材４７０Ｂのうち第１の把持部材だけが、前記試料４０５の輪郭の少なくとも一部に実質的に対応する上記の内部輪郭４７５を有すようにし、他方、第２の把持部材は実質的に平面状の輪郭、あるいは前記第１の把持輪郭４７５に対し、鏡像でない、または対応しない輪郭を有すようにしてもよい。このような実施形態では、前記第２の把持部材の輪郭は、前記試料４０５の輪郭のいかなる部分にも対応しなくてよい。もちろん、前記把持要素４００Ｂの前記把持部材４７０Ｂ間のこのような相違は、本開示の範囲内で把持要素の他の実施形態にも適用することができる。
【００５５】
図５は、本開示の態様に従って構成された把持要素５００のさらに異なる別の一実施形態の少なくとも一部の概略図を例示したものである。この把持要素５００は図１に示した前記システム１００などの電子顕微鏡システムで使用でき、また図１〜３および図４Ａ〜４Ｅを参照して説明した前記把持要素に類似したものでありうる。
【００５６】
前記把持要素５００は本体５１０を具備し、一実施形態において、この本体５１０はワイヤーセグメントを実質的に有する。この本体５１０は、ワイヤーセグメントからプローブを形成しうるタングステンまたは他の材料を含有することができる。例えば、この本体は、エッチングされた、あるいはプローブ先端へと成形された端部５１５を有するタングステンワイヤーセグメントを有することができる。一実施形態では、前記本体５１０から形成された前記プローブのこの先端は、約０．１ｍｍ〜約１．０ｍｍ範囲の直径と、曲率約２０ｎｍ未満の先端半径とを有することができる。言うまでもなく、この端部５１５の形状は図５に示した形状に限定されず、また前記ＦＩＢ調製試料３０５に整合して前記試料３０５を前記基板４０２から取り出すよう成形することができる。例えば、前記端部５１５は、前記ＦＩＢ調製試料４０５縁部への前記端部５１５の誘導を助ける形状を含む、弓形または実質的に直線状の凹型形状などを有することができる。
【００５７】
前記本体５１０のこの端部５１５の少なくとも一部は、可鍛層５２０でコーティングすることができる。この可鍛層５２０は金、銀、インジウム、これらの合金、および／または他の可鍛材料を有することができる。従って、この端部５１５は、ＦＩＢ調製試料５０５と整合するよう構成された圧着エンドエフェクタとして機能することができる。
【００５８】
操作中、この端部５１５は、前記本体５１０の位置決めにより、前記ＦＩＢ調製試料４０５に近接または接触して位置決めされうる。次に、この端部５１５に熱エネルギー、圧縮エネルギー、および／または音響エネルギーが付与され、そのエネルギーにより前記可鍛層５２０の少なくとも一部が軟化または溶融されるか、あるいは前記本体５１０の前記ＦＩＢ調製試料４０５への結合が促進される。前記ＦＩＢ調製試料４０５は、前記本体５１０に抗して押圧される硬質表面をもたらすため、プラチナまたはタングステンなど実質的な硬度を有する材料の層を含みうる。
【００５９】
図６は、本開示の態様に係る前記ＦＩＢ調製試料４０５（図中では参照番号６０５）のさらに異なる別の実施形態の断面図を例示したものである。この試料６０５は、組成および製造上、上記の試料４０５と実質的に類似したものであってよい。この試料６０５は、２回（以上）ＦＩＢを通過させて調製することができる。例えば図６に示した実施形態の場合、この試料６０５は、基板６０２の表面６０２ａに対し鋭角に配向させたＦＩＢを少なくとも２回通過させることにより成形することができる。この基板６０２は、上記の基板に実質的に類似したものであってよい。この鋭角度は、例示した実施形態のように約４５度でありうるが、他の角度も本開示の範囲内である。これにより、前記試料６０５の側壁６０５ａ同士が成す相対角度Ａは図６のように約９０度になりうるが、約１０度〜約１５０度範囲にもなり、さらに他の実施形態も本開示の範囲内である。
【００６０】
一部の実施形態では、前記試料６０５の断面が三角形または楔（くさび）形であることにより、上記の把持要素といった把持要素による前記試料６０５の捕持がより堅固なものになる言うまでもなく、この試料６０５の断面形状は、このような捕持を助ける上記以外の形状でもよく、テーパーがかかった１若しくはそれ以上の側壁６０５ａを有する、あるいは幅が線形に変化しない（階段状輪郭などの）実施形態を含め可変幅を有する他の断面形状などがこれに含まれる。一実施形態では、前記試料６０５の外部輪郭は、上記の前記把持要素４００Ａ、４００Ｂ、および／または４００Ｃなど、前記試料６０５の捕持に使用される把持要素の凹部または開口部の内部輪郭に対し、実質的または少なくとも部分的に適合あるいは協動する。
【００６１】
図７は、本開示の態様に係る上記の試料４０５（図中では参照番号７０５）のさらに異なる別の実施形態の上面図を例示したものである。この試料７０５は、組成および製造上、前記試料４０５、６０５と実質的に類似したものであってよい。この試料７０５は、周囲７０５ｂが非矩形である。もちろん、図７に示した周囲７０５ｂ以外の周囲形状を有する試料も本開示の範囲内である。
【００６２】
この試料７０５は、前記試料７０５を前記基板６０２に連結した部分であって、薄く、可能性としてテーパーがかかった部分７０５ｃも含みうる。他の実施形態では、同様に配置された切り欠き部分あるいは一定構成部分が、前記テーパーがかかった部分５０７ｃに対し付加的または二者択一的に使用されうる。このようなテーパーがかかった、ネック状になった、細くなった、切り欠き付きの、あるいは成形された領域が前記試料７０５の脆弱な部分となり、上記の把持要素など把持要素での前記試料７０５把持工程の実施後など、前記基板６０２から離れる方向への前記試料７０５付勢に応答して、前記テーパーがかかった部分５０７ｃに応力が集中することができる。言うまでもなく、このような部分７０５ｃを使用することに対し、二者択一的または付加的に、前記基板６０２および前記試料７０５を連結する前記基板６０２の一部を、レーザー、マイクロマシニング、選択的エッチング、および／または他の工程を使用するなどして切断してもよい。
【００６３】
本開示の範囲内である把持要素製造と、試料調製と、試料の移送および配向と、試料検査との種々の態様は、自動化が可能である。例えば、ＦＩＢチャンバー内、可能性として試料ステージ上で、試料を配置および／または配向するには、１若しくはそれ以上のマニピュレータ（それぞれが図１に示した前記ハンドリングアセンブリ１５０の実施形態であるか、これを含みうる）を使用することができる。このように、本開示の態様に係る１若しくはそれ以上の工程中で、自動化した試料交換が使用できる。前記１若しくはそれ以上のマニピュレータは、付加的な位置決め機構上に固着および／または取り付けることができるグリッドホルダー上に試料を配置するため使用される。
【００６４】
パーソナルコンピュータまたは他のコンピュータ装置（本明細書において以下「ＰＣ」と総称する）であるか、これを含みうる制御機器は、対象となる試料を配置および配向することができる。このような配置および／または配向では、走査型電子顕微鏡（ＳＥＭ）、透過型電子顕微鏡（ＴＥＭ）、他の電子顕微鏡、光学顕微鏡、または他タイプの顕微鏡など、顕微鏡の画像処理ビームを使用することができる。このような配置および／または配向は、ロボット部品を含む、マニピュレータか、ハンドリングアセンブリか、把持要素か、エンドエフェクタか、これらのコンポーネントかを、画像処理機器と相対的に配向するように構成される他の手段を付加的または二者択一的に使用することができる。
【００６５】
なお、本願の規定では、検査工程中またはその工程段階中などにおけるＳＥＭまたはＴＥＭの使用に具体的に言及しているが、本開示の態様は、ＴＥＭ以外の顕微鏡を使用する用途にも適用可能であるか容易に適用可能である。例えば一実施形態では、ＦＩＢ機器チャンバー内で試料調製を行い、調製した試料を前記ＦＩＢチャンバー内で把持して前記試料の基板から分離し、分離した前記試料をＴＥＭ機器チャンバー内で検査することができる。ただし、他の実施形態では、ＦＩＢ/ＳＥＭ兼用ツールのチャンバー内、または専用ＦＩＢチャンバーではない他のチャンバー内で試料を調製し、その試料を集合的に把持してその基板から分離したのち、ＴＥＭチャンバー内で検査することができる。一部の実施形態では、試料調製と、捕持と、切断と、検査と、他の操作とのうち１若しくはそれ以上または各々を、ＦＩＢチャンバー内か、ＳＥＭチャンバー内か、ＴＥＭチャンバー内か、他の顕微鏡機器チャンバー内かに含まれるロボットまたは他の自動機器を含む自動化により実施するか助けることができる。
【００６６】
ＰＣを使うと、可能性として電子顕微鏡の画像処理ビームを使用して、対象となる試料との相対位置など、把持要素（本明細書の図を参照して上記説明した把持要素など）の相対位置を決定することができる。一実施形態では光学顕微鏡も付加的または二者択一的に使用でき、その場合、ＰＣおよび／または異なる別の装置は、このような相対位置決定中に使用される特徴検出ソフトウェアを具備することができる。前記ＰＣは、次に試料の上位位置あるいは近接位置へと把持要素を駆動し、前記把持要素を下方へ移動して前記試料に係合させたのち、この把持要素を閉じて前記試料を固定する。上記のとおり、把持要素を閉じて試料を固定するこの工程は、把持要素を作動または作動停止する工程を含む場合があり、あるいは試料に対し把持要素を単に平行移動するだけで把持要素を閉じるか試料を固定できる。
【００６７】
一部の実施形態では、試料を基板から分離させる際、追加のＦＩＢ切断工程および／または他の工程が必要になりうる。その後、または二者択一的に、マニピュレータで試料を基板から引き離す。次に、可能性としてセンサおよび／または前記画像処理ビームなどからの視覚的フィードバックを使用して、マニピュレータでグリッド配置位置を決定する。そして試料をグリッド配置位置に対し整列する。一部の実施形態では、前記グリッド配置位置の表面を浄化、汚染除去、あるいは調整などするため、その表面へガスを吹き込む場合がある。
【００６８】
その後、マニピュレータで試料をグリッドに整列および係合させ、ＦＩＢビームで前記グリッド上に前記試料を溶接あるいは固定することができる。他の実施形態では、上記の把持要素などを使って試料を固定（または固定したままに）し配向するなどにより、他の手段を試料の位置決めおよび／または配向に使用することができる。ただし、試料をグリッドに固定する場合は、前記試料を前記把持要素から係合解除してマニピュレータを引き離することができる。
【００６９】
このようなリフトアウト（取り出しまたは「ピック」）工程および配置工程の付加的な態様は、以下で説明する。なお、以下で説明する態様の多くはピック工程に関して説明したものであるが、このような態様は配置工程に適用可能であるか容易に適用可能である。
【００７０】
上記の工程の自動化を可能にするには、把持要素、把持部材、ハンドリングアセンブリ、マニピュレータ、試料の検査、および／または任意の工程管理測定能力の操作可能性をもたらす種々の装置を、自動顕微鏡試料調製システム（Ａｕｔｏｍａｔｅｄ  Ｍｉｃｒｏｓｃｏｐｙ  Ｓａｍｐｌｅ  Ｐｒｅｐａｒａｔｉｏｎ  Ｓｙｓｔｅｍ）（ここで、顕微鏡とはＳＥＭ、ＳＴＭ、ＴＥＭ、光学顕微鏡、および他の顕微鏡機器のうち１若しくはそれ以上を指すことができる）として通信自在に連結することができる。これにより、ビーム装置内への導入用に試料を調製する、ビーム装置内に試料を導入する、測定および／または操作用に試料を調製する、試料上の目標領域に近接させ把持要素を配置する、把持要素を作動させて前記目標領域に対し把持、係合、あるいは接触を行う、また調製した試料を操作するなどの工程を開始、調整、または終了するため、１つの装置から異なる別の装置へ通信が行えるようになる。
【００７１】
また、このような工程を自動化できるようにするため、前記自動顕微鏡試料調製システムを有する種々の装置の可動コンポーネントが互いに参照可能になり、また前記システムを有する固定装置にとっても参照可能になるよう（例えば、可動部品から可動部品へ、そして可動部品から固定部品へ）、前記自動顕微鏡試料調製システムが参照システム（Ｒｅｆｅｒｅｎｃｅ  Ｓｙｓｔｅｍ）を有するようにもできる。前記種々の装置の可動コンポーネントを互いに参照させ合うことにより、処理対照である試料の特徴に対し、把持要素の自動位置決めが可能になる。さらに、前記自動顕微鏡試料調製システムの種々の装置を通信自在に連結することにより、前記参照システムにより収集された情報が前記装置間で通信可能になり、これらの装置を開始、監視、調整、終了し、また装置により実施される特定の工程に関するデータを収集できるようになる。
【００７２】
前記参照システムは、前記自動顕微鏡試料調製システム内で、またはそれにより使用される種々の装置に関する情報を収集よう、また前記自動顕微鏡試料調製システム内で、またはそれにより使用される前記装置により実施される工程に関する情報を収集するよう動作自在な位置センサ、圧力センサ、環境センサ、材料/元素センサ、タイマー、および／または位置に関する手順(画像処理による位置決定など)といった装置を有することができる。この参照システムは、前記センサ、前記タイマー、および／または前記位置に関する手順により収集された情報を、前記装置間で通信できるメッセージなどに変換するためのプログラム／ソフトウェアも有することができる。例えば、前記参照システムからのメッセージは、電気信号の形態、または前記参照システムに関連付けられたソフトウェアにより生成されるコマンドの形態でありうる。
【００７３】
一実施形態では、この参照システムは、前記自動顕微鏡試料調製システムの前記通信自在に連結された装置の１つへプログラムとして組み込まれる制御ルーチン（Ｃｏｎｔｒｏｌ  Ｒｏｕｔｉｎｅ）の一部として実装される。このような例の１つでは、前記参照システムは前記把持要素に操作可能性をもたらす位置決め制御装置にプログラムとして組み込まれた手順セットとして前記制御ルーチン内で実装される。前記制御ルーチンは、本明細書に開示した自動試料調製を可能にする種々のサブルーチンなども有することができる。
【００７４】
このような参照システムは、具体的には、実施する自動工程のタイプに応じて異なりうる。例えば、自動工程としての試料調製に前記参照システムが必要とする情報は、自動工程としての試料測定にその参照システムが必要とする情報により異なる。ただし一般には、実施される自動工程のタイプにかかわらず、前記参照システムは荷電粒子ビーム装置により生成されるビームに対する試料の位置、試料に対する把持要素の位置、および／または試料の「マップ」など一定の要因に依存する。試料の「マップ」とは、その試料の特徴の位置決定に使用できる、その試料に関するデータを指す。例えば、この試料は前記試料上に一定の特徴が形成された半導体チップであってよい。試料チップのマップは、その試料の１若しくはそれ以上の特徴であって、処理する必要がある特徴に関する位置情報を提供する。試料のマップは、ＣＡＤデータ、利用者による試料の工作、および／または、利用者指定または外部システム指定の参照座標のセットを含む（これに限定はされるものではないが）種々のソースから得られる。あるいは、処理する必要のある試料を自動的に検出および処理されるようにでき、したがって前記マップが自動工程自体により動的に生成され見出されるようにすることができる。
【００７５】
前記参照システムは、前記制御ルーチンにより実施された工程から得られた情報を使って、荷電粒子ビーム装置の試料チャンバー内で位置決めされた試料の位置を前記荷電粒子ビーム装置のビームと相対的に決定することができる。二者択一的または付加的に、前記制御ルーチンは、位置決めステージまたは把持要素に対する試料の位置を決定したのち前記ビームに対する前記ステージまたは把持要素の位置を見出す工程を含みうる。二者択一的または付加的に、前記制御ルーチンは、位置決めステージに対する把持要素の位置を決定したのち前記ビームに対する前記ステージの位置を見出す工程を含みうる。一例によると、前記制御ルーチンは、標準的な画像解析手順を実施して、前記ビームか位置決めステージか把持要素かに対する試料の位置を決定する。例えば、この画像は、走査済み荷電粒子ビーム、または画像解析ソフトウェア用途に適切な表現を作成できるこのような他の装置で作成された表現から導出可能である。試料上、ステージ上、および／または把持要素上の参照特徴を画像解析で使用すると、前記参照システムに対し前記試料、前記ステージ、および／または前記把持要素の位置または配向を記述する座標系を作成することができる。
【００７６】
この参照システムでは、試料チャンバー内において試料の位置に対する把持要素の位置または配向を決定するため前記制御ルーチンにより実施された工程から得られた情報も使用することができる。この工程を実施する方法はいくつか考えられる。一例によれば、前記ビームまたはステージに対する把持要素の位置または配向は、適切な画像解析技術を使って決定される。これに対し二者択一的または付加的に、ハンドリングアセンブリに対する前記把持要素の位置または配向が決定されたのち、前記ビームまたは前記ステージに対する前記把持要素の位置または配向が決定される。把持要素の位置または配向は、画像解析などの技術を使うことにより、またはこのような要件に適したフィードバックを提供する機械センサ、電気センサ、またはレーザーセンサを移動することにより決定できる。
【００７７】
可能性として上記のように得られたマップを使用すると、前記参照システムはポジショナー制御装置など、把持要素の操作可能性をもたらす装置へ情報を通信でき、これにより指定された特徴あるいは望ましい位置または配向の上位における前記把持要素の位置駆動が前記装置により始動される。例えば、前記マップに対する特徴の座標、試料チャンバー内で位置決めを行う際の検査試料の実際の位置、前記把持要素の実際の位置、および／または前記ポジショナーの実際の位置は数学的に組み合わせることができる。
【００７８】
図８は、上記の参照システムが動作しうる自動顕微鏡試料調製システムの一実施形態の少なくとも一部のブロック図を例示したものである。図８に例示した自動顕微鏡試料調製システム例に従い、システム８００は、例えば、把持要素と、荷電粒子ビーム装置８００ｂと、測定装置８００ｃとが連結されたハンドリングアセンブリ（図１に示したアセンブリ１５０など）を具備し、かつ／またはそれを制御するよう動作自在なポジショナー制御装置８００ａを有する。前記ポジショナー８００ａおよび上記のハンドリングアセンブリ１５０の態様は互いに類似することがあり、以下に説明する場合などでは、これらの用語を同義的に使用しても差し支えない。
【００７９】
例をとると、Ｚｙｖｅｘ  Ｃｏｒｐｏｒａｔｉｏｎから市販されているＳ１００  Ｎａｎｏｍａｎｉｐｕｌａｔｏｒ  Ｓｙｓｔｅｍなどのポジショナー制御装置８００ａは、本明細書に開示するように前記自動顕微鏡試料調製システムに連結することができる。別の例では、Ａｕｔｏｍａｔｅｄ  Ｍｉｃｒｏｓｃｏｐｙ  Ｓａｍｐｌｅ  Ｐｒｅｐａｒａｔｉｏｎ  Ｓｙｓｔｅｍから市販されているＫｅｉｔｈｌｅｙ  ４２００などの測定装置８００ｃも、本明細書に開示するように前記自動顕微鏡試料調製システムに連結することができる。同様に、ＦＥＩ、ＬＥＯ、日立、ＪＥＯＬなどから入手可能なＳＥＭやＦＩＢなどの荷電粒子ビーム装置８００ｂも、前記自動顕微鏡試料調製システムに連結することができる。Ｅｖａｃｔｒｏｎ  Ｍｏｄｅｌ  ３０（これも市販されている）などの汚染防止装置８００ｄも、本明細書に開示するように前記自動顕微鏡試料調製システムに連結することができる。
【００８０】
前記ポジショナー制御装置８００ａ、荷電粒子ビーム装置８００ｂ、および／または汚染防止装置８００ｄは、荷電粒子ビーム装置に試料を導入する、試料の処理用に把持を準備する、試料上の目標領域に近接させて把持要素を位置決めする、前記把持要素を作動させ前記目標領域に接触させる、および／または試料を処理するといった工程を開始および／または制御するため、１つの装置から異なる別の装置へ通信が行われるよう連結することができる。前記装置間の通信は前記制御ルーチンにより解釈でき、前記システム８００の前記装置の１つにプログラムとして組み込める。前記制御ルーチンは、前記荷電粒子ビーム装置８００ｂまたは前記システム８００に連結された他装置から受け取った通信内容に応答して、前記システム８００を構成する前記装置に対し試料の調製または把持要素の準備など特定の工程について始動、監視、データ回収、調整、および／または終了の指示を送るよう動作する。
【００８１】
一例によれば、前記制御ルーチンは、前記ポジショナー制御装置８００ａ、前記荷電粒子ビーム装置８００ｂ、測定装置８００ｃ、および／または汚染防止装置８００ｄのうち１若しくはそれ以上の動作の指示を制御し、また複数の前記手順も制御する単一のコンピュータまたは機械（「主制御コンピュータ」など）へプログラムとして組み込まれる。例えば、試料を荷電粒子ビーム装置内へ導入する手順は、ポジショナー制御装置を操作し前記把持要素を望ましい位置へ駆動するコンピュータと同じコンピュータで制御することができる。また、データ取得（Ｄａｔａ  Ａｃｑｕｉｓｉｔｉｏｎ）基板は、前記位置制御装置を操作するコンピュータまたは機械に実装することができ、これにより例えば、通常であれば前記測定装置のコンピュータか、機械か、操作システムかにより実施される測定または工程を、前記装置が実行できるようにする。
【００８２】
前記制御ルーチンと、前記自動顕微鏡試料調製システムの前記装置の１つまたはすべての操作とが単一の機械に常駐する例では、種々の装置間の通信はソフトウェアにより可能となる。さらに異なる別の例によれば、前記ポジショナー制御装置８００ａと、前記荷電粒子ビーム装置８００ｂと、前記測定装置と、前記汚染防止装置８００ｄとのうち１若しくはそれ以上は、その操作を命令するため別個のコンピュータまたは機械を有する。このような例において、各装置は、ワイヤ、ケーブル、ネットワーク（すなわちＥｔｈｅｒｎｅｔ（登録商標）、１３９４接続、および／またはＵＳＢのＴＣＰ／ＩＰネットワーク）といった経路、または無線プロトコルなどの手段により通信自在に連結できる。このように、前記自動顕微鏡試料調製システムの前記装置間の通信は、別個のコンピュータを介し物理ネットワーク経由でアクセスされる、もしくは主制御コンピュータにローカルに常駐しうる論理操作／サブシステムとして記述できる。
【００８３】
図９は、前記システム８００を有した前記装置の通信を可能にする例示的構成の少なくとも一部をブロック図として例示したものである。この構成例では、試料を操作する操作プラットフォーム８１０を例示している。本明細書における操作とは、Ｘ方向とＹ方向とＺ方向との試料移動を包含し、可能性として電気的、機械的、光学的、または化学的な測定、あるいはこれらの組み合わせを実行するなど試料の物理的および化学的な特性を決定することを包含する（これに限定はされないが）。前記操作プラットフォーム８１０は、基部８０６であって、その上にサイト８１２などのマニピュレータモジュールインターフェースサイトが構成される基部８０６を具備しうるが、一部の実施形態では、２つ以上のマニピュレータモジュールインターフェースサイトが前記基部８０６上に具備されうる。前記マニピュレータモジュールインターフェースサイト８１２は、米国特許出願第１０／１７３，５４３号（その開示全体を言及により本明細書に組み込むものとする）の説明のようにマニピュレータまたは同様に構成されたモジュールを受容することができる。
【００８４】
前記プラットフォーム８１０は、操作すべき試料を受容する試料ステージ８１５を有することができる。このプラットフォーム８１０は、ＳＥＭやＦＩＢといった荷電粒子ビーム装置８００ｂへの基部８０６の連結を可能にするインターフェース８０７も具備することができる。前記荷電粒子ビーム装置８００ｂがＳＥＭまたはＦＩＢである例では、試料ステージ８１５上に試料を配置し、インターフェース８０７を介した前記ＳＥＭまたは前記ＦＩＢへの連結により、これらＳＥＭまたはＦＩＢの前記試料チャンバー内に前記操作プラットフォーム８１０を配置する。これにより、例えば一度プラットフォーム８１０をＳＥＭまたはＦＩＢに連結させると、試料ステージ８１５上に配置された試料は、この試料を操作するため利用する（１つまたは複数の）前記マニピュレータモジュールと同時に画像処理できるようになる。
【００８５】
図９にさらに示すように、ポジショナー制御装置８００ａは操作プラットフォーム８１０に連結されている。操作プラットフォーム８１０がインターフェース８０７により荷電粒子ビーム装置８００ｂに連結されている場合、前記荷電粒子ビーム装置８００ｂおよび前記ポジショナー制御装置８００ａは、これらポジショナー制御装置８００ａおよび荷電粒子ビーム装置８００ｂ、さらに、これらの装置内に位置し前記参照システムで使用するための情報を導出するセンサに対し、入出力通信が行えるよう通信自在に連結される。
【００８６】
前記ポジショナー制御装置８００ａは、１若しくはそれ以上の前記インターフェースサイト８１２に連結された（１つまたは複数の）マニピュレータモジュールの操作を自動制御するためプログラム可能である。一例によれば、可能性として前記参照システムを方法セットとして有する制御ルーチンも、前記荷電粒子ビーム装置８００ｂまたは前記測定装置８００ｃから受け取った通信内容に応答して、前記システム８００を構成する前記装置に対し把持要素の準備または配向、試料の調製、または前記把持要素および／またはハンドリングアセンブリの作動など特定の工程について始動、監視、データ回収、調整、および／または終了の指示を送るため、前記ポジショナー制御装置８００ａにプログラムとして組み込まれる。
【００８７】
本開示の態様に係る自動試料移送システムは、前記制御ルーチンおよび／または前記参照システムにより使用される情報を通信する適切なソフトウェアおよびハードウェアにより実現されうる。適切な通信を可能にするハードウェアおよびソフトウェアに加え、前記自動試料移送システムは、試料積載ステーションから前記試料チャンバー内へなど試料を移送するよう動作自在な移送機構（例えば、電気モーター、圧電モーター、ＭＥＭＳモーター、機械的に作動させる空気圧式機構、または摩擦低減法など）を具備することができる。
【００８８】
一例によれば、試料は、ツール、クランプ、ブラケット、グリッパ、把持要素、減圧などにより積載ステーション内の定位置に保たれ、そこで任意選択のディプロセシングおよび調製が実施される。試料が前記試料チャンバーに導入される前に把持要素がチャンバー内に導入され調整される例では、前記把持要素は、前記試料チャンバー内で位置決めされ、試料が積載ステーション内に保たれた状態で調整または特徴付けされる。前記把持要素が適切に調整された旨の信号を受け取ると（このような調整が実行される場合）、前記制御ルーチンは、前記自動試料移送システムの移送機構をトリガして試料を前記試料チャンバー内に導入する。
【００８９】
この試料のチャンバー内処理は、前記試料の輪郭および／または断面を画成するなどのため、１回以上のＦＩＢ切断を実施する工程を含みうる。チャンバー内処理は、付加的または二者択一的に、ＸＥＩ  Ｓｃｉｅｎｔｉｆｉｃ（米国カリフォルニア州レッドウッドシティ（Ｒｅｄｗｏｏｄ  Ｃｉｔｙ））から市販されているＥＶＡＣＴＲＯＮ（Ｒ）ＳＥＭ−ＣＬＥＡＮ（ＴＭ）装置などを使用して試料および／または基板表面を汚染除去する工程を含みうる。全体として、ＥＶＡＣＴＲＯＮ（Ｒ）ＳＥＭ−ＣＬＥＡＮ（ＴＭ）装置は、低出力ＲＦプラズマを使って空気から酸素ラジカルを生成でき、次にこの酸素ラジカルがＳＥＭ内部または他の顕微鏡の内部からの炭化水素を酸化し化学的にエッチングする。他の付加的または二者択一的な処理としては、ＦＩＢスパッタリング、イオン銃スパッタリング、プラズマまたはラジカルによる浄化などがあり、これらはいずれも前記制御ルーチンのサブルーチンを介して実施できる。
【００９０】
導入後、そして任意選択のチャンバー内試料調製および調整後（実施される場合）、この試料が存在する旨の信号が前記制御ルーチンへ送られる。試料が前記試料チャンバー内で位置決めされるのが前記把持要素導入の前であるか後であるか、また可能性として前記把持要素が適切に調整された旨および／または前記試料が前記試料チャンバー内に配置された旨の情報受信時であるかにかかわらず、前記制御ルーチンは、前記参照システムおよび前記ポジショナー制御装置にアクセスして、前記把持要素を前記試料またはその関心のある特徴の上位あるいは近傍に位置決めする。例えば、試料上の関心のある特徴は、前記把持要素が前記試料を最終的に取得する、あるいは前記試料に接触する時点でのＴＥＭ試料クーポン試験片の諸点でありうることから、「捕持接触点」（ａｃｑｕｉｓｉｔｉｏｎ  ｃｏｎｔａｃｔ  ｐｏｉｎｔｓ）と呼ばれる。この捕持接触点の「上位」とは、この捕持接触点への「最終的な」軌跡を決定および実行できる出発点の位置を指すことができる。一例によれば、このような位置は、前記接触捕持点が含まれる平面において前記接触捕持点から法線方向にある。前記捕持接触点近傍での前記把持要素の位置決めは、前記参照システムにより、またはこれを使用して実施される。
【００９１】
上記のように、前記参照システムにより、前記自動顕微鏡試料調製システムを有する種々の装置の可動（および静止）コンポーネントは互いに参照され、また前記顕微鏡に参照されることが可能になる。これを受け、前記参照システムが前記試料、前記把持要素、前記ハンドリングアセンブリ、および／または前記試料のマップの相対位置に関する情報を使って適切なメッセージを前記制御ルーチンに提供すると、前記制御ルーチンは前記適切なメッセージを前記ポジショナー制御装置へ送信し、前記把持要素が前記接触捕持点などに対し適切に位置決めされるよう前記把持要素を移動させる。把持要素が望ましい捕持接触点に接触せず、必ずしも前記捕持接触点の真上にないが、移動後はこの捕持接触点に接触しうる他のアプローチ方法も、本開示の態様に従って実施可能である。
【００９２】
前記制御ルーチンが適切な位置を含むメッセージを前記ポジショナー制御装置に送信した時点で、前記ポジショナー制御装置は、前記把持要素を前記位置まで移動制御するポジショナーかハンドリングアセンブリか他の装置かの移動に適したハードウェアおよびソフトウェアを具備することになる。その一例として、前記ポジショナー制御装置８００ａは、米国特許出願第１０／１７３，５４３号に説明されている方法でポジショナーおよび操作モジュールを操作する。
【００９３】
前記制御ルーチンは、把持要素位置決め用の１若しくはそれ以上のサブルーチンで前記ポジショナー制御装置８００ａの操作を増補し、その場合、前記サブルーチンは前記参照システムにより登録された接触捕持点に対する前記把持要素の位置決めを監視および／または検出する。前記把持要素位置決めサブルーチンは、把持要素が捕持接触点上位の望ましい位置に到達した時点を決定する手順も実施する。把持要素位置決め工程と、前記把持要素が接触点上位の望ましい位置に到達した時点を決定する工程の例示的な手順は、前記荷電粒子ビーム装置により実施される画像処理工程と、アラインメントマークを荷電粒子ビームを使って位置決めする工程と、前記参照システムから得られたマップデータを参照する工程と、前記荷電粒子ビーム装置を教示モードで操作する工程と、前記試料上の絶対座標（以前決定された座標のリストなど）を参照する工程と、自動または半自動の「ポイントアンドクリック」工程とを含む（これに限定はされないが）。
【００９４】
言うまでもなく、上記の試料調製、リフトアウト、移動、配向、および／または位置決めで使用される１若しくはそれ以上の工程段階または工程の態様は、前段落で説明した自動化態様に対し付加的（または二者択一的）に自動化することができる。例えば、米国仮特許出願第６０／５４６，８４０号では、自動化の態様を多数説明している。その中では、自動化態様の多くが試料またはウエハーのプロービングまたは調製の文脈で説明されているが、このような態様は、試料調製と、リフトアウトと、操作と、検査と、本明細書で説明する他の工程とに追加する工程に適用可能であるか容易に適用可能であり、完全に本開示の範囲内である。
【００９５】
このように、本開示は方法であって、一実施形態において、集束イオンビーム（ＦＩＢ）で基板を切断することにより、前記基板から少なくとも部分的に試料を切断する工程と、把持要素を作動させることにより前記基板試料を捕持する工程と、前記捕持済み試料を前記基板から分離させる工程とを含む方法を提供する。
【００９６】
本開示の態様に係る方法の異なる別の実施形態は、（１）集束イオンビーム（ＦＩＢ）で基板を切断することにより、前記基板から少なくとも部分的に試料を切断する工程と、（２）前記試料を捕持するよう構成された圧着エンドエフェクタを有するアセンブリツールを前記試料に近接させて位置決めする工程と、（３）前記圧着エンドエフェクタを介して前記試料に力を加える工程であって、前記力は、前記圧着エンドエフェクタと前記試料とを圧着させる上で十分な大きさを有することにより前記試料を捕持する、前記試料に力を加える工程と、（４）前記捕持済み試料を前記基板から分離させる工程とを含む。
【００９７】
本開示は、一実施形態において、試料を基板から少なくとも部分的に切断する集束イオンビーム（ＦＩＢ）手段と、前記試料を捕持するよう構成された把持要素と、前記試料を捕持するため前記把持要素を作動させる手段と、前記捕持済み試料を前記基板から分離させる手段とを具備するシステムも導入する。
【００９８】
本開示では、ＦＩＢ調製試料を捕持する把持要素も提供される。一実施形態では、この把持要素は、ハンドリングアセンブリに連結されるよう構成された本体と、前記本体に連結された作動部材と、前記作動部材に連結され、前記作動部材の作動に応答してＦＩＢ調製試料を捕持するよう構成された把持部材とを具備する。
【００９９】
本開示の態様に係る方法の異なる別の実施形態は、（１）集束イオンビーム（ＦＩＢ）で基板を切断することにより、前記基板から少なくとも部分的に試料を切断する工程と、（２）把持要素で前記基板試料を捕持する工程と、（３）前記捕持済み試料を前記基板から分離させる工程と、（４）前記把持要素を作動させることにより、捕持済み前記基板試料をリリースする工程とを具備する。前記試料の切断と、前記試料の捕持と、前記試料の分離と、前記試料のリリースとのうち１若しくはそれ以上は、自動化することができる。
【０１００】
上記では、本開示について当業者の理解がより深まるよう、いくつかの実施形態の特徴を概略説明した。当業者であれば、本明細書で導入した実施形態と同一の目的を実行するため、および／または本明細書で導入した実施形態と同一の優位性を実現するための他の工程および構造を設計または修正する基礎として、本開示内容を容易に適用できることが理解されるであろう。また当業者であれば、このような均等構造が本開示の要旨を変更しないこと、また本開示の要旨を変更しない範囲で種々の変形形態、置換形態、および修正形態が可能であることが理解されるであろう。
【図面の簡単な説明】
【０１０１】
本開示の態様は、添付の図面と併せて以下の「発明を実施するための最良の形態」を読むことにより最もよく理解される。前記分野の標準的慣行に基づき、種々の特徴は実際の縮尺どおりに描画されない場合があることをここに特筆する。例えば、種々の特徴の寸法は、説明を明瞭にするため適宜拡大または縮小している場合がある。
【図１】図１は、本開示の態様に係る顕微鏡検査システムの一実施形態の少なくとも一部の概略図。
【図２】図２は、本開示の態様に係る把持要素の一実施形態の少なくとも一部の概略図。
【図３】図３は、本開示の態様に係る把持要素の異なる別の実施形態の少なくとも一部の概略図。
【図４Ａ】図４Ａは、本開示の態様に係る把持要素のさらに異なる別の実施形態の少なくとも一部の概略図。
【図４Ｂ】図４Ｂおよび図４Ｃは、本開示の態様に係る把持要素のさらに異なる別の実施形態の少なくとも一部の概略図。
【図４Ｃ】図４Ｂおよび図４Ｃは、本開示の態様に係る把持要素のさらに異なる別の実施形態の少なくとも一部の概略図。
【図４Ｄ】図４Ｄおよび図４Ｅは、本開示の態様に係る把持要素のさらに異なる別の実施形態の少なくとも一部の概略図。
【図４Ｅ】図４Ｄおよび図４Ｅは、本開示の態様に係る把持要素のさらに異なる別の実施形態の少なくとも一部の概略図。
【図５】図５は、本開示の態様に係る把持要素のさらに異なる別の実施形態の少なくとも一部の概略図。
【図６】図６は、本開示の態様に係る、ＦＩＢで調製した試料を有する基板の一実施形態の少なくとも一部の断面図。
【図７】図７は、本開示の態様に係る、ＦＩＢで調製した試料を有する基板の一実施形態の少なくとも一部の上面図。
【図８】図８は、本開示の態様に係るシステムの一実施形態の少なくとも一部のブロック図。
【図９】図９は、本開示の態様に係る、図８に示したシステムの一部の一実施形態のブロック図。
【図１】
2007506981.tif 000003
【図２】
2007506981.tif 000004
【図３】
2007506981.tif 000005
【図４Ａ】
2007506981.tif 000006
【図４Ｂ】
2007506981.tif 000007
【図４Ｃ】
2007506981.tif 000008
【図４Ｄ】
2007506981.tif 000009
【図４Ｅ】
2007506981.tif 000010
【図５】
2007506981.tif 000011
【図６】
2007506981.tif 000012
【図７】
2007506981.tif 000013
【図８】
2007506981.tif 000014
【図９】
2007506981.tif 000015
【手続補正書】
【提出日】平成18年9月30日(2006.9.30)
【手続補正１】
【補正対象書類名】特許請求の範囲
【補正対象項目名】全文
【補正方法】変更
【補正の内容】
【特許請求の範囲】
【請求項１】
集束イオンビーム（ＦＩＢ）で基板を切断することにより、前記基板から少なくとも部分的に試料を切断する工程と、
マイクロ電子素子、マイクロ機械素子、またはマイクロ電子機械素子である把持要素で前記基板試料を補持する工程と、
前記基板から前記補持済み試料を分離させる工程と、
前記把持要素から前記基板試料をリリースする工程とを有し、
前記基板試料を補持する工程および前記基板試料をリリースする工程の少なくとも一方は、前記把持要素に供給する電力量を調整することにより前記把持要素を作動させる工程を含み、前記基板試料を補持する工程および補持済み前記基板試料を分離させる工程の少なくとも一方は電子顕微鏡内で実施されるものである、方法。
【請求項２】
請求項１記載の方法において、前記把持要素で前記基板試料を補持する工程は、前記把持要素で前記基板試料を受動的に補持する工程を有し、前記把持要素が前記基板試料を補持している間、前記把持要素に電力は実質的に供給されないものである。
【請求項３】
請求項１記載の方法において、
前記試料を切断する工程、前記基板試料を補持する工程、前記補持済み試料を分離させる工程、および前記基板試料をリリースする工程のうち少なくとも１つの少なくとも一部は、自動化により実施され、
前記試料を切断する工程は、ＦＩＢ装置チャンバー内で実施され、
前記基板試料を補持する工程および前記補持済み試料を分離させる工程は、前記ＦＩＢ装置チャンバー以外のチャンバー内で実施されるものである。
【請求項４】
請求項１記載の方法において、前記把持要素は、前記把持要素を機械的に開閉する熱的、電熱的、静電気的、または圧電的な作動手段を具備するものである。
【請求項５】
請求項１記載の方法において、前記把持要素はアセンブリツールを有し、前記基板試料を補持する工程は、
前記試料を補持するように構成された圧着エンドエフェクタを有する前記アセンブリツールを前記試料に近接させて位置決めする工程であって、前記圧着エンドエフェクタは前記基板試料と整合するように構成された可鍛層を具備するものである、前記位置決めする工程と、
前記圧着エンドエフェクタを介して前記試料に力を加える工程であって、前記力は、前記圧着エンドエフェクタと前記試料を圧着させる上で十分な大きさを有することにより前記試料を補持する、前記試料に力を加える工程とを含み、前記試料に力を加える工程は、前記圧着エンドエフェクタが連結された電熱的、静電気的、または圧電的な作動手段を作動させる工程を含むものである。
【請求項６】
基板から少なくとも部分的に試料を切断する集束イオンビーム（ＦＩＢ）手段と、
前記試料を補持するように構成された把持要素と、
前記試料を補持またはリリースするために前記把持要素を作動させる手段と、
前記基板から前記補持済み試料を分離させる手段とを有し、
前記把持要素は、開放位置と閉塞位置との間で前記把持要素を構成する一体型作動装置を具備するものである、システム。
【請求項７】
基板から少なくとも部分的に試料を切断する集束イオンビーム（ＦＩＢ）手段と、
前記試料を補持するように構成された把持要素と、
前記試料を補持するために前記把持要素を作動させる手段と、
前記基板から前記補持済み試料を分離させる手段とを有し、
前記把持要素は、エンドエフェクタであって、前記エンドエフェクタの加熱時、前記エンドエフェクタの冷却時、または前記試料に抗した前記エンドエフェクタの押圧時に前記試料を補持するように構成された、熱的に作動されるエンドエフェクタまたは可鍛性のエンドエフェクタを具備し、前記把持要素を作動させる手段は、前記試料に抗して前記エンドエフェクタを押圧して圧着を生じさせる手段を含むものである、システム。
【請求項８】
請求項６または７記載のシステムであって、このシステムは、また、
前記ＦＩＢ手段、前記把持要素を作動させる手段、および前記基板から前記補持済み試料を分離させる手段をそれぞれ制御する自動化手段を有するものである。
【請求項９】
ＦＩＢで調製した試料を補持する把持要素であって、
ハンドリングアセンブリに連結されるように構成された本体と、
前記本体に連結された作動部材と、
前記作動部材に連結され、ＦＩＢで調製した試料を補持し、後に前記ＦＩＢで調製した試料をリリースするように構成された把持部材であって、前記ＦＩＢで調製した試料の補持およびリリースの少なくとも一方が、熱的、電熱的、静電気的、または圧電的な前記作動部材の作動に応答したものである、前記把持部材と
を有するＦＩＢで調製した試料を補持する把持要素。
【請求項１０】
請求項９記載の把持要素において、前記把持部材は、前記ＦＩＢで調製した試料を受動的に補持するよう構成されているものである。
【国際調査報告】
2007506981.tif 000016
2007506981.tif 000017
2007506981.tif 000018